(57)【要約】【課題】  機器の電源がＯＦＦとなった場合でも、確実に盗難を監視することができ、しかも、簡単な構成で製造コストを低減させることのできる盗難監視システムを提供する。【解決手段】  コンピューター２に設けられ通信手段を介してプロジェクター１に確認信号を出力する監視制御部１８と、プロジェクター１に設けられプロジェクター１の電源がＯＮとなっている状態で確認信号を受信した場合にコンピューター２に応答信号を出力する送受信データ制御部１３と、プロジェクター１の電源がＯＦＦとなっている状態で、コンピューター２から送信される確認信号をそのままコンピューター２に返すように切り換えるリレー回路１２と、を備え、監視制御部１８により、プロジェクター１から応答信号または確認信号を受信したときにプロジェクター１が存在していると判断するとともに、応答信号または確認信号を受信しないときに、プロジェクター１が存在していないと判断するものである。【選択図】      図１
2011203767.tif 000002
【特許請求の範囲】
【請求項１】
コンピューターと、盗難監視機器とを備え、前記コンピューターと前記盗難監視機器とが、通信手段を介して通信可能な盗難監視システムであって、
前記コンピューターは、
前記通信手段を介して前記盗難監視機器に確認信号を出力する監視制御部を備え、
前記盗難監視機器は、
前記盗難監視機器の電源がＯＮとなっている状態で前記確認信号を受信した場合に、前記コンピューターに応答信号を出力する送受信データ制御部と、
前記盗難監視機器の電源がＯＦＦとなっている状態で、前記コンピューターから送信される前記確認信号を、そのまま前記コンピューターに返すように切り換える切り換え手段と、
を備え、
前記監視制御部は、前記盗難監視機器に前記確認信号を出力した後、前記盗難監視機器から前記応答信号または前記確認信号を受信した場合に、前記盗難監視機器が存在していると判断するとともに、応答信号または確認信号を受信しない場合に、前記盗難監視機器が存在していないと判断することを特徴とする盗難監視システム。
【請求項２】
前記コンピューターは、前記監視制御部によって前記盗難監視機器が存在しないと判断された場合に、その旨を報知する報知手段を備えていることを特徴とする請求項１記載の盗難監視システム。
【請求項３】
前記盗難監視機器は、プロジェクターであることを特徴とする請求項１または請求項２に記載の盗難監視システム。
【請求項４】
前記切り換え手段は、リレー回路であることを特徴とする請求項１から請求項３のいずれか一項に記載の盗難監視システム。
【請求項５】
前記通信手段は、ＬＡＮによる通信手段またはＲＳ−２３２Ｃによる通信手段であることを特徴とする、請求項１から請求項４のいずれか一項に記載の盗難監視システム。
【発明の詳細な説明】
【技術分野】
【０００１】
本発明は盗難監視システムに係り、特に、盗難監視機器の電源がＯＦＦとなっている場合でも、盗難監視機器が存在するか否かを確実に判断することを可能とした盗難監視システムに関するものである。
【背景技術】
【０００２】
近年、企業内で、プロジェクターやプリンターなどコンピューターに接続して使用する周辺機器が普及しており、これら周辺機器の盗難の防止を図る必要性が高まってきている。
【０００３】
そのため、従来から、送信データおよびリンクパルスの消失を検出し、機器のネットワークケーブルが取り外されたことを検知した場合に、警報を発するようにした技術が開示されている（例えば、特許文献１参照）。
【０００４】
また、その他の技術として、ネットワークを介して映像信号の入力などを行うためのネットワークユニットを有効活用して振動アラーム装置からのアラーム作動を示す出力に基づいて、その旨を示す電子メールをネットワークユニットからあらかじめ設定された送信先に送信するようにして、ユーザなどが近くにいないときに盗難が発生してもユーザなどに通知することにより、盗難に早急に対応することができるようにした技術が開示されている（例えば、特許文献２参照）。
【先行技術文献】
【特許文献】
【０００５】
【特許文献１】特開２００３−３３０６６３号公報
【特許文献２】特開２００７−２４９７３７号公報
【発明の概要】
【発明が解決しようとする課題】
【０００６】
しかしながら、前記特許文献１に記載の技術においては、停電などにより周辺機器の電源がＯＦＦとなった場合にも、送信データが消失してしまい、実際には盗難されていないにもかかわらず、警報が発せられるおそれがあるという問題を有している。また、特許文献２に記載の技術においては、振動アラーム装置により、機器の振動を検知して機器が盗難されたことを検知するものであるため、誤動作が生じやすいという問題を有している。また、前記特許文献１および特許文献２に記載の技術では、いずれの場合も適正に盗難を監視することはできるが、システムが複雑になり、設置コストが高くなってしまうという問題を有している。
【０００７】
本発明は前記した点に鑑みてなされたものであり、機器の電源がＯＦＦとなった場合でも、確実に盗難を監視することができ、しかも、簡単な構成で製造コストを低減させることのできる盗難監視システムを提供することを目的とするものである。
【課題を解決するための手段】
【０００８】
前記目的を達成するために、本発明に係る盗難監視システムは、コンピューターと、盗難監視機器とを備え、前記コンピューターと前記盗難監視機器とが、通信手段を介して通信可能な盗難監視システムであって、前記コンピューターは、前記通信手段を介して前記盗難監視機器に確認信号を出力する監視制御部を備え、前記盗難監視機器は、前記盗難監視機器の電源がＯＮとなっている状態で前記確認信号を受信した場合に、前記コンピューターに応答信号を出力する送受信データ制御部と、前記盗難監視機器の電源がＯＦＦとなっている状態で、前記コンピューターから送信される前記確認信号を、そのまま前記コンピューターに返すように切り換える切り換え手段と、を備え、前記監視制御部は、前記盗難監視機器に前記確認信号を出力した後、前記盗難監視機器から前記応答信号または前記確認信号を受信した場合に、前記盗難監視機器が存在していると判断するとともに、応答信号または確認信号を受信しない場合に、前記盗難監視機器が存在していないと判断することを特徴とする。
【０００９】
本発明によれば、盗難監視機器の電源がＯＮとなっている状態で、コンピューターからの確認信号を受信した場合には、送受信データ制御部によりコンピューターに応答信号を出力するとともに、盗難監視機器の電源がＯＦＦとなっている状態で、コンピューターからの確認信号を受信した場合は、切り換え手段を切り換えることにより、確認信号をそのままコンピューターに返すようにしており、監視制御部は、盗難監視機器に確認信号を出力した後、盗難監視機器から応答信号または確認信号を受信したときに、盗難監視機器が存在していると判断するとともに、応答信号または確認信号を受信しないときに、盗難監視機器が存在していないと判断するようにしているので、盗難監視機器の電源がＯＮの状態のみならず、例えば、停電などにより電源がＯＦＦの状態でも、盗難鑑識が存在しているか否かを確実に判断することができる。しかも、構成が簡単で、大掛かりなシステムが不要となるので、製造コストの低減を図ることができる。
【００１０】
また、前記盗難監視システムにおいて、前記コンピューターは、前記監視制御部によって前記盗難監視機器が存在しないと判断された場合に、その旨を報知する報知手段を備えていることを特徴とする。
【００１１】
本発明によれば、報知手段を備えているので、監視制御部により盗難監視機器が存在しないと判断した場合に、コンピューターの周辺の利用者に対して確実に盗難があった旨を報知することができる。
【００１２】
また、前記盗難監視システムにおいて、前記盗難監視機器は、プロジェクターであることを特徴とする。
【００１３】
本発明によれば、盗難監視機器がプロジェクターであるので、コンピューターから離れた位置に設置されたプロジェクターの盗難を確実に監視することができる。
【００１４】
また、前記盗難監視システムにおいて、前記切り換え手段は、リレー回路であることを特徴とする。
【００１５】
本発明によれば、切り換え手段をリレー回路としているので、盗難監視機器の電源のＯＮ、ＯＦＦ動作に連動してリレー回路の通電および通電解除を行うことにより、盗難監視機器の電源がＯＦＦになった場合でも、確実に通信手段の切り換えを行うことが可能となる。
【００１６】
また、前記盗難監視システムにおいて、前記通信手段は、ＬＡＮによる通信手段またはＲＳ−２３２Ｃによる通信手段であることを特徴とする。
【００１７】
本発明によれば、通信手段を、ＬＡＮによる通信手段またはＲＳ−２３２Ｃによる通信手段としているので、既存の通信手段を用いて盗難監視機器の盗難監視を容易に行うことができる。
【図面の簡単な説明】
【００１８】
【図１】本発明に係る盗難監視システムの実施形態を示す構成図である。
【図２】本発明に係る盗難監視システムの実施形態におけるプロジェクターの電源がＯＮの状態を示す接続部部分の構成図である。
【図３】本発明に係る盗難監視システムの実施形態におけるプロジェクターの電源がＯＦＦの状態を示す接続部部分の構成図である。
【図４】本発明に係る盗難監視システムの動作を示すフローチャートである。
【発明を実施するための形態】
【００１９】
以下、本発明の実施の形態について図面を参照しながら説明する。
【００２０】
図１は、本発明に係る盗難監視システムの実施形態を示す概略構成図であり、本実施形態においては、盗難監視機器としてプロジェクターを用いた場合について説明する。
【００２１】
本実施形態においては、プロジェクター１には、コンピューター２が通信手段として機能するケーブル３を介して接続されており、プロジェクター１には、コンピューター２と接続するための接続部４が設けられている。図２および図３に示すように、この接続部４には、コンピューター２からの信号を受信する受信用ポート５およびコンピューター２に信号を送信する送信用ポート６がそれぞれ設けられている。
【００２２】
また、受信用ポート５には、受信用接続配線７が接続されており、送信用ポート６には、送信用接続配線８が接続されている。また、接続部４には、本実施形態においては、３つの端子９が設けられており、受信用接続配線７および送信用接続配線８は、２つの端子９にそれぞれ接続されている。他の１つの端子９には、送信データ配線１０が接続されており、受信用接続配線７の中途部には、受信データ配線１１が接続されている。
【００２３】
また、端子９には、切り換え手段としてのリレー回路１２が設けられており、リレー回路１２は、送信用接続配線８と受信用接続配線７とを接続する状態と、送信用接続配線８と送信データ配線１０とを接続する状態とを切り換えるように構成されている。そして、本実施形態においては、リレー回路１２は、リレー回路１２に通電している状態では、図２に示すように、送信用接続配線８と送信データ配線１０とを接続する状態に保持されるとともに、リレー回路１２への通電を解除した状態では、図３に示すように、送信用接続配線８と受信用接続配線７とを接続する状態に保持するように構成されている。
【００２４】
プロジェクター１には、送受信データ制御部１３が設けられており、送受信データ制御部１３には、受信データ配線１１および送信データ配線１０がそれぞれ接続されている。送受信データ制御部１３は、受信データ配線１１を介してコンピューター２から送られる受信データを受信するとともに、送信データ配線１０を介して送信データをコンピューター２に送信するように構成されている。
【００２５】
また、プロジェクター１には、電源部１４が設けられており、この電源部１４は、プロジェクター１に入力される画像情報の台形補正、画質調整、拡大・縮小調整、シャープネス調整などを行う画像処理装置１５、液晶パネル１６、液晶パネル１６を照明するための照明装置１７などに電源を供給するものである。さらに、本実施形態においては、電源部１４は、リレー回路１２に電源を供給するように構成されている。そして、本実施形態においては、リレー回路１２は、リレー回路１２に通電した状態では、送信用接続配線８と送信データ配線１０とを接続する状態に保持されるとともに、リレー回路１２への通電を解除した状態では、送信用接続配線８と受信用接続配線７とを接続する状態に保持するように構成されている。
【００２６】
なお、リレー回路１２に電源部１４からリレー回路１２に通電されない状態としては、例えば、メイン電源がＯＦＦとなっている状態およびメイン電源はＯＮとなっているが他の機器への通電がＯＦＦとなっているスタンバイ状態がある。
【００２７】
また、コンピューター２には、監視制御部１８が設けられており、監視制御部１８は、プロジェクター１に対して確認信号を送信するとともに、プロジェクター１から送信される応答信号を受信するように構成されている。監視制御部１８は、プロジェクター１から送信される応答信号または確認信号を受信した場合に、正常にプロジェクター１が接続されているものと判断し、応答信号または確認信号のいずれも受信しない場合は、プロジェクター１が接続されていないものと判断するように構成されている。
【００２８】
すなわち、プロジェクター１のリレー回路１２に電源部１４から通電されており、送信用接続配線８と送信データ配線１０とが接続されている状態で、コンピューター２の監視制御部１８からプロジェクター１に確認信号が送信されると、確認信号が受信データ配線１１を介して送受信データ制御部１３に送られるものである。そして、確認信号が受信されると、送受信データ制御部１３は、一定時間内に応答信号を送信し、この応答信号は、送信データ配線１０および送信用接続配線８を介してコンピューター２に送信され、コンピューター２により受信されるように構成されている。
【００２９】
また、プロジェクター１のリレー回路１２に電源部１４から通電されておらず、送信用接続配線８と受信用接続配線７とが接続されている状態で、コンピューター２の監視制御部１８からプロジェクター１に確認信号が送信されると、確認信号が受信データ配線１１を介して送られ、この確認信号は、送信用接続配線８を介してそのままの状態で、コンピューター２に送信され、コンピューター２により受信されるように構成されている。
【００３０】
また、コンピューター２には、監視制御部１８により確認信号または応答信号が受信されず、プロジェクター１が接続されていないものと判断された場合に、音声あるいはディスプレイへの表示によりプロジェクター１が接続されていない旨の報知を行う報知部１９が設けられている。
【００３１】
なお、コンピューター２とプロジェクター１とを接続するケーブル３を介した通信としては、例えば、ＬＡＮによる通信、ＲＳ−２３２Ｃによる通信などが考えられる。
【００３２】
次に、前述の盗難監視システムの作用について、図４に示すフローチャートを参照して説明する。
【００３３】
まず、コンピューター２の監視制御部１８から確認信号をプロジェクター１に送信する（ステップＳ１）。このとき、プロジェクター１のリレー回路１２に電源部１４から通電されており、送信用接続配線８と送信データ配線１０とが接続されている状態では、コンピューター２の監視制御部１８からプロジェクター１に確認信号が送信されると、確認信号が送受信データ制御部１３に送られ、送受信データ制御部１３により、一定時間内に応答信号がコンピューター２に送信される。そして、コンピューター２の監視制御部１８により設定時間内にプロジェクター１からの送信があったか否か判断し（ステップＳ２）、この受信した信号が応答信号か否か判断する（ステップＳ３）。そして、応答信号が受信された場合には（ステップＳ３：ＹＥＳ）、プロジェクター１が接続されていると判断する（ステップＳ４）。
【００３４】
また、プロジェクター１のリレー回路１２に電源部１４から通電されておらず、送信用接続配線８と受信用接続配線７とが接続されている状態では、コンピューター２の監視制御部１８からプロジェクター１に確認信号が送信されると、確認信号は、送信用接続配線８を介してそのままの状態で、コンピューター２に送信される。そして、コンピューター２の監視制御部１８により、応答信号が受信されず（ステップＳ３：ＮＯ）、確認信号を受信したか否か判断し（ステップＳ５）、確認信号が受信された場合には（ステップＳ５：ＹＥＳ）、プロジェクター１が接続されていると判断する（ステップＳ４）。
【００３５】
一方、設定時間内に応答信号を受信しなかった場合（ステップＳ２：ＮＯ）、および確認信号を受信しなかった場合には（ステップＳ５：ＮＯ）、プロジェクター１が接続されていないものと判断し（ステップＳ６）、報知部１９によりその旨報知する（ステップＳ７）。
【００３６】
以上述べたように、本実施形態においては、プロジェクター１の電源部１４がＯＮとなっている状態で、コンピューター２からの確認信号を受信した場合には、送受信データ制御部１３によりコンピューター２に応答信号を出力するとともに、プロジェクター１の電源部１４がＯＦＦとなっている状態で、コンピューター２からの確認信号を受信した場合は、リレー回路１２を切り換えることにより、確認信号をそのままコンピューター２に返すようにしており、監視制御部１８は、プロジェクター１から応答信号または確認信号を受信したときに、プロジェクター１が存在していると判断するとともに、応答信号または確認信号を受信しないときに、プロジェクター１が存在していないと判断するようにしているので、プロジェクター１の電源部１４がＯＮの状態のみならず、例えば、停電などにより電源がＯＦＦの状態でも、プロジェクター１が存在しているか否かを確実に判断することができる。しかも、構成が簡単で、大掛かりなシステムが不要となるので、製造コストの低減を図ることができる。
【００３７】
なお、前記実施形態においては、コンピューター２に対して１台のプロジェクター１が接続されている場合について説明したが、例えば、ＬＡＮによる通信でコンピューター２に対して複数のプロジェクター１が接続されている場合には、各プロジェクター１に対してＴＣＰ／ＩＰアドレスを指定しておき、このＴＣＰ／ＩＰアドレスを用いて各プロジェクター１に対して監視制御部１８から確認信号を出力するようにすれば、電源部１４がＯＮとなっている状態であれば、複数のプロジェクター１の監視を行うことが可能となる。
【００３８】
また、前記実施形態においては、本発明を盗難監視機器としてプロジェクターに適用した場合について説明したが、その他、ＬＡＮによる通信、ＲＳ−２３２Ｃによる通信により通信することができる機器であれば、例えば、ノート型パソコン、プリンター、スキャナーなどいずれの機器に適用することができる。
【００３９】
また、本発明は上記実施形態に限定されるものではなく、本発明の趣旨に基づいて種々の変形が可能である。
【符号の説明】
【００４０】
１  プロジェクター、２  コンピューター、３  ケーブル、４  接続部、５  受信用ポート、６  送信用ポート、７  受信用接続配線、８  送信用接続配線、１０  送信データ配線、１１  受信データ配線、１２  リレー回路、１３  送受信データ制御部、１４  電源部、１５  画像処理装置、１６  液晶パネル、１７  照明装置、１８  監視制御部、１９  報知部。
【図１】
2011203767.tif 000003
【図２】
2011203767.tif 000004
【図３】
2011203767.tif 000005
【図４】
2011203767.tif 000006